(57)【特許請求の範囲】
【請求項１】
電力量計器のためのアダプタであって、
パネルボックスにインターフェースで接続するための第１のセットの接続部と、
前記電力量計器にインターフェースで接続するための第２のセットの接続部と、
第１のネットワークの少なくとも１つの帯域がフィールド・エリア・ネットワーク（ＦＡＮ）を含んでおり、第２のネットワークを介して、データを収集し処理する管理エンティティに、前記第１のネットワークから傍受した前記ＦＡＮトラフィックを含む情報を通信するための、前記アダプタ内の回路と
を備え、
前記アダプタは、前記第１のネットワークと前記第２のネットワークとを通信可能に結合し、前記第２のネットワークを介した前記管理エンティティからの遠隔コマンドの取得に基づいて、前記第１のネットワーク上の前記ＦＡＮトラフックを傍受し、監視し、かつ分析するための、及び前記第１のネットワーク内に無線周波数（ＲＦ）トラフィックを注入するための無線電子回路を備え、かつ、前記第１のネットワークの前記フィールド・エリア・ネットワークから傍受したトラフック分析により、侵入及びネットワーク異常を検出する、侵入検出機能をさらに備える、アダプタ。
【請求項２】
前記アダプタは、高度計量インフラストラクチャ（ＡＭＩ）及び配電自動化（ＤＡ）フィールド・エリア・ネットワークを含むフィールド・エリア・ネットワーク（ＦＡＮ）、ホーム・エリア・ネットワーク（ＨＡＮ）、並びに他の無線周波数帯域から成る群から選択される前記第１のネットワークの少なくとも１つの帯域からの無線周波数（ＲＦ）トラフィックを傍受するための無線電子回路を備え、前記ＲＦトラフィックは前記ネットワークを介して送信される、請求項１に記載のアダプタ。
【請求項３】
前記第１のネットワーク内に無線周波数（ＲＦ）トラフィックを注入することは、前記フィールド・エリア・ネットワーク（ＦＡＮ）、並びに前記他の無線周波数帯域から成る群から選択される前記第１のネットワークの少なくとも１つの帯域内に前記無線周波数（ＲＦ）トラフィックを注入することを含む、請求項２に記載のアダプタ。
【請求項４】
前記侵入検出機能は、さらに傍受したトラフィックを分析し、ホーム・エリア・ネットワーク（ＨＡＮ）における、又は他の無線周波数帯域における侵入及び異常を検出する、請求項１に記載のアダプタ。
【請求項５】
前記アダプタはプローブである、請求項１に記載のアダプタ。
【請求項６】
前記第１のネットワークは、ホーム・エリア・ネットワーク、ワイド・エリア・ネットワーク、配電系統ネットワーク、電話回線網及び無線周波数伝送ネットワークから成る群から選択される少なくとも１つの他の帯域を含む、請求項２に記載のアダプタ。
【請求項７】
前記ＲＦトラフィックは、Ｗｉ−Ｆｉ（登録商標）、ＺｉｇＢｅｅ（登録商標）、電力線搬送、ロング・ターム・エボリューション（ＬＴＥ（登録商標））、ボイス・オーバー・インターネット・プロトコル、固定ブロードバンド、及びインターネットプロトコルから成る群から選択される少なくとも１つの通信チャネルプロトコルによって前記第１のネットワークを介して送信される、請求項６に記載のアダプタ。
【請求項８】
前記アダプタは、ワイヤレス、ファイバー、及び電力線搬送ブロードバンド通信技術からのインターネット、データ及び音声サービスを提供する通信ゲートウェイである、請求項１に記載のアダプタ。
【請求項９】
電力品質を判定するためのセンサと、データを前記センサから前記ネットワークに通信するための電子構成要素とをさらに備える、請求項１に記載のアダプタ。
【請求項１０】
前記アダプタにおける環境状態を判定するための少なくとも１つの環境センサと、前記環境センサからのデータを前記ネットワークに通信するための電子構成要素とをさらに備える、請求項１に記載のアダプタ。
【請求項１１】
保守管理アクセスを提供するために光学的、ワイヤレス又は磁気的接続を使用するポートをさらに備える、請求項１に記載のアダプタ。
【請求項１２】
特定のデバイスによる電力使用量に関するデータを送信するための電力量計量システムをさらに備える、請求項１に記載のアダプタ。
【請求項１３】
前記デバイスは、電化製品、及び充電を必要とする自動車から成る群から選択されるものである、請求項１２に記載のアダプタ。
【請求項１４】
公共設備サービス使用量を監視するためのセンサと、公共設備サービス使用量を制御するための制御装置とをさらに備える、請求項１に記載のアダプタ。
【請求項１５】
前記センサは水道メータであり、前記制御装置は止水栓を含む、請求項１４に記載のアダプタ。
【請求項１６】
前記センサはガス流量計であり、前記制御装置はガス遮断弁を含む、請求項１４に記載のアダプタ。
【請求項１７】
前記センサは、動き、圧力、ガラスの破損、光、火、一酸化炭素、天然ガス、発砲、又は玄関の開放を検出するセキュリティセンサである、請求項１４に記載のアダプタ。
【請求項１８】
前記電力量計器又は前記パネルボックスにおける電気的問題を検出する温度センサをさらに備える、請求項１に記載のアダプタ。
【請求項１９】
制御弁をさらに備え、前記制御弁はスプリンクラー弁である、請求項１７に記載のアダプタ。
【請求項２０】
前記電力量計器に供給される電力を接続且つ切断するための電力線継電器をさらに備える、請求項１に記載のアダプタ。
【請求項２１】
配電系統から前記アダプタに供給されるべき電力を調整するための電力調整回路をさらに備える、請求項１に記載のアダプタ。
【請求項２２】
公共設備使用量に関する情報を、前記情報を収集し処理する管理エンティティと接続する第１のネットワークに供給するための方法であって、
公共設備使用量計量器と、前記計量器のためのパネルボックスとの間にプローブ計量器アダプタを配置することと、
第２のネットワークの少なくとも１つの帯域がフィールド・エリア・ネットワークを含んでおり、前記第２のネットワークを構成する高度計量インフラストラクチャ（ＡＭＩ）及び配電自動化（ＤＡ）フィールド・エリア・ネットワーク（ＦＡＮ）、ホーム・エリア・ネットワーク（ＨＡＮ）、又は任意の他の無線周波数帯域からフィールド・エリア・ネットワーク（ＦＡＮ）トラフィックを傍受することと、
前記フィールド・エリア・ネットワーク内の侵入及びネットワーク異常を検出するために、前記フィールド・エリア・ネットワークから傍受したトラフックを分析するための前記プローブ計量器アダプタ内の電気回路を使用することと、
前記電子回路が、前記トラフィック及び情報を収集及び処理するためにフィールド・エリア・ネットワーク（ＦＡＮ）トラフィック、及び前記傍受したトラフィック分析結果を含む情報を、前記公共設備使用量計量器から前記第１のネットワークへと通信するための前記プローブ計量器アダプタであることを利用することと、かつ
前記第１のネットワークを介した前記管理エンティティからの遠隔コマンドの取得に基づいて、前記第２のネットワーク内に無線周波数（ＲＦ）トラフィックを前記アダプタによって注入することと、
を含む、方法。
【請求項２３】
前記第２のネットワークは、フィールド・エリア・ネットワーク、ホーム・エリア・ネットワーク、ワイド・エリア・ネットワーク、配電系統ネットワーク、電話回線網及び無線周波数伝送ネットワークから成る群から選択される少なくとも１つの他の帯域を含む、請求項２２に記載の方法。
【請求項２４】
前記トラフィックは、Ｗｉ−Ｆｉ（登録商標）、ＺｉｇＢｅｅ（登録商標）、電力線搬送、ロング・ターム・エボリューション（ＬＴＥ（登録商標））、ボイス・オーバー・インターネット・プロトコル、及び固定ブロードバンドから成る群から選択される少なくとも１つの通信チャネルプロトコルによって前記第１のネットワークを介して送信される、請求項２２に記載の方法。
【請求項２５】
前記プローブ計量器アダプタは、ワイヤレス、ファイバー、及び電力線搬送技術で送信されるべき広帯域通信技術からのインターネット、データ及び音声サービスを提供する、請求項２２に記載の方法。
【請求項２６】
前記注入することは、管理センターからの遠隔コマンドによって、高度計量インフラストラクチャ（ＡＭＩ）及び配電自動化（ＤＡ）フィールド・エリア・ネットワーク（ＦＡＮ）又はホーム・エリア・ネットワーク（ＨＡＮ）内に前記トラフィックを注入することをさらに備える、請求項２２に記載の方法。
【請求項２７】
前記分析することは、悪意あるパケット、侵入の兆候又はネットワーク異常を検出するために複数のプロトコル層によって前記トラフィックを分析することをさらに含む、請求項２２に記載の方法。
【請求項２８】
電力品質を判定するためにセンサを使用することと、電力品質に関するデータを前記センサから前記第１のネットワークに通信することとをさらに含む、請求項２２に記載の方法。
【請求項２９】
前記アダプタにおける環境状態を判定するために環境センサを使用することと、前記環境センサからのデータを前記第１のネットワークに通信することとをさらに含む、請求項２２に記載の方法。
【請求項３０】
保守管理アクセスを提供するためにポートを介する光学的、ワイヤレス又は磁気的接続を使用することをさらに含む、請求項２２に記載の方法。
【請求項３１】
特定のデバイスによる電力使用量に関するデータを取得するために電力量計器システムを使用することと、前記特定のデバイスによる電力量使用量に関する前記データを前記第１のネットワークに送信することをさらに含む、請求項２２に記載の方法。
【請求項３２】
公共設備使用量を監視するためのセンサ及び公共設備使用量を制御するための制御装置を使用することをさらに含み、前記センサは、水道メータ及び止水栓を含む制御装置、及びガスメータ及びガス遮断弁を含む制御装置、からなる群から選択される、請求項２２に記載の方法。
【請求項３３】
動き、圧力、ガラスの破損、光、火、一酸化炭素、天然ガス、発砲、又は玄関の開放を検出するセキュリティセンサを使用することをさらに含む、請求項２２に記載の方法。
【請求項３４】
前記公共設備使用量計量器及びパネルボックスにおける電気的問題を検出する温度センサをさらに備える、請求項２２に記載の方法。
【請求項３５】
制御弁をさらに備え、前記制御弁はスプリンクラー弁である、請求項２２に記載の方法。
【請求項３６】
前記公共設備使用量計量器に供給される電力を接続且つ切断するための電力線継電器を使用することをさらに含む、請求項２２に記載の方法。
【請求項３７】
配電系統から前記プローブ計量器アダプタに供給されるべき電力を調整することをさらに含む、請求項２２に記載の方法。
【請求項３８】
持続性コンピュータ可読記憶媒体であって、コンピュータシステムによって実行されると、結果として、公共設備使用量データを、前記データを収集し処理する管理エンティティと接続する第１のネットワークに送信するための方法であって、
公共設備使用量計量器と、前記計量器のためのパネルボックスとの間にプローブ計量器アダプタを配置するステップと、
第２のネットワークの少なくとも１つの帯域がフィールド・エリア・ネットワークを含んでおり、前記第２のネットワークを構成する高度計量インフラストラクチャ（ＡＭＩ）及び配電自動化（ＤＡ）フィールド・エリア・ネットワーク（ＦＡＮ）、ホーム・エリア・ネットワーク（ＨＡＮ）、又は任意の他の無線周波数帯域からフィールド・エリア・ネットワーク（ＦＡＮ）トラフィックを傍受するステップと、
前記フィールド・エリア・ネットワークの侵入及びネットワーク異常を検出するために、前記フィールド・エリア・ネットワークから傍受したトラフックを分析するための前記プローブ計量器アダプタ内の電気回路を使用するステップと、
前記電子回路が、前記トラフィック及び情報を収集及び処理するためにフィールド・エリア・ネットワーク（ＦＡＮ）トラフィック、及び前記傍受したトラフィック分析結果を含む情報を、前記公共設備使用量計量器から前記第１のネットワークへと通信するための前記プローブ計量器アダプタであることを利用するステップと、かつ
前記第１のネットワークを介した前記管理エンティティからの遠隔コマンドの取得に基づいて、前記第２のネットワーク内に無線周波数（ＲＦ）トラフィックを前記アダプタによって注入するステップと、
を含む、方法のステップを実行することになるコンピュータプログラムの命令を記憶している、持続性コンピュータ可読記憶媒体。
【発明の詳細な説明】
【技術分野】
【０００１】
本開示は、配電のためのスマートグリッドに関連付けられる。より詳細には、本開示は、フィールド・エリア・ネットワーク（ＦＡＮ）通信システムにおいて、又は他の用途において使用するためのスマートメータに関する。
【背景技術】
【０００２】
電力の生成、伝送、及び分配のための従来のシステムは周知である。発電所、又は他のソースが、電力を生成する。高電圧送電線を介して分配するために電圧が上げられる。送電線は変電所に接続され、変電所は、電圧を何らかの中間電圧レベルに下げる。この中間電圧レベルにある電力が分配され、家庭及び事業所に送電される電圧に下げられる。
【０００３】
スマートグリッドは、効率を向上させ、再生可能発電源を組み込み、節電を促進し、電力の生成、伝送、分配、消費及び可能性として蓄電をより良好に測定し管理するための、国内電力系統を最新化したものである。スマートグリッドにおける新規の技術の多くは、配電網に焦点を当てている。
【０００４】
スマートグリッド技術の成功の鍵は、ＦＡＮにおけるインテリジェント組み込みシステム及び通信である。インテリジェント組み込みシステムは、センサ、制御及び監視能力を付加する電力構成要素の中に組み込まれる小型コンピュータシステムである。ＦＡＮは、電力系統の操作におけるスマートグリッド構成要素の測定及び制御のために組み込みシステムコントローラ及びバックエンドアプリケーションの間での通信を可能にする。
【０００５】
高度計量インフラストラクチャ（ＡＭＩ）が、スマートグリッドの最先端であると考えられる。ＡＭＩはスマートグリッドの最初に大規模に配備されたもので、すべての家庭におけるスマートメータ、及び、スマートメータ及びバックエンドアプリケーションの間でのワイヤレス通信をサポートするための通信アクセスノード又はアクセスポイントを配備することを含む。スマートメータは基本的に、ネットワーク・インターフェース・カードを用いるソリッドステート演算及び計量デバイスである。スマート・メータ・エネルギー・アプリケーションは、遠隔計器読み取り、遠隔切断／接続、供給停止管理、使用時間帯別料金設定及び直接負荷制御のような需要応答、並びにホーム・エリア・ネットワーク（ＨＡＮ）を通じた顧客契約を含む。
【０００６】
加えて、スマートグリッドは、資源状況及び状態、エネルギーフローを監視するために、且つ、スイッチ、回路再閉路器、及びコンデンサバンクのような能動構成要素を遠隔制御するために、配電変圧器、配電フィーダ、配電変電所にインテリジェント制御及びセンサを付加する。スマートグリッドのこの部分は、配電自動化（ＤＡ）として知られている。
【０００７】
広範に配備されたＡＭＩ又は配電自動化ＤＡ  ＦＡＮの安全を確保することは重要なセキュリティ課題である。スマートメータ又はネットワークＤＡ機器のようなインテリジェントエンドポイントは、広い地理的領域にわたって拡散される。それらは、傍受され偽造される可能性がある、又は悪意ある送信信号が注入される可能性があるワイヤレスチャネルを介して通信する。スマートメータ及びネットワークＤＡ機器は、物理的に保護することが困難である。第１世代のスマートメータ及びネットワークＤＡ機器は、サイバー攻撃及び物理的攻撃に対して防衛するための決定的な保護を欠いている。最良のセキュリティ対策は、多層防御を必要とするものであり、これは、侵入の兆候及び異常な挙動を監視且つ検出するための手段を含む。
【０００８】
スマートグリッド技術の多くは依然としてその初期段階にある。ＡＭＩ、ＤＡ及びＦＡＮシステムの提供者は、自身の要求されている機能性を働かせることにとらわれている。ネットワーク監視及び侵入検出システムを実装することにはほとんど、又は全く注意が払われてきていない。加えて、多くのＦＡＮは独自の無線システム及びプロトコルを使用するため、ＩＰネットワークに共通に使用されるソリューションは全く機能していない。さらに、業界は長年の経験からＩＰネットワークにおける脆弱性を理解しているが、ワイドエリアＦＡＮにおける脆弱性に関しては依然として発見段階にある。
【０００９】
スマート・グリッド・デバイスのＲＦ信号範囲内に多数のプローブが監督下にある。実際的な懸案事項は、柱、鉄塔、及び建造物又は車両にプローブを設置するために適切な物理ロケーションを見つけることが困難である可能性があることである。柱への設置は、柱に対する風荷重、電力線からの最短距離、柱上のスペースの利用可能性、及び、柱に登る経路の保持に関するいくつかの規制及び保安指針に準拠することを必要とする。加えて、柱は低電圧、すなわち１２０又は２４０ボルトの電力線を有しなければならず、これは、配電変圧器又は近傍の変圧器からの回路供給を有する必要があることを意味する。さらに、柱は、木によって遮られ、受信環境を悪くするノイズの多い電力工学特性を含む可能性がある。設置は、高電圧区画におけるアンテナの設置、低電圧プローブ電源の接続、及び通信区画におけるプローブの設置に対処するために最大３人の専門作業員を必要とする。建造物に搭載されるプローブは、風荷重に対するデバイスの安全を確保し、屋根の水漏れを回避し、好都合な電源を設置するために同様の作業を必要とする。さらなる懸案事項は、環境的要素からのプローブの保護、不正改ざんに対するプローブの安全確保、並びに、保守管理のため、及び、プローブの故障の場合にシステム調整又は交換のためにプローブの移動を容易にするためにプローブに対する好都合なアクセスを提供することである。
【００１０】
したがって、より好都合なプローブロケーションを提供する方法が強く必要とされている。本開示は、既存の電力量計器ロケーションにおけるプローブ設置を可能にするか、又は、既存の電力量計器が侵入検出及びネットワーク監視のためにプローブをサポートすることを可能にする方法及び装置を提示する。
【発明の概要】
【発明が解決しようとする課題】
【００１１】
本開示の目的は、監督下にあるデバイスからの高度な独立性を維持しながら、規準又はスマートメータを改変することなく、住居建造物及び商業建造物において計器ソケットを使用してプローブを配備する好都合な方法を提供することである。プローブは、侵入検出、ネットワーク監視、又は、計器位置に配置された独立した監視ソースから利益を得る任意の他の用途に使用されることができる。
【課題を解決するための手段】
【００１２】
計器ソケットとスマートメータとの間に適合する計器アダプタも開示される。アダプタはプローブ電子回路を収容し、計器を通じた送電のための電気的接触を受ける。アダプタは、メータ動作に干渉せず、いずれの計器位置もが好都合なプローブ位置になることを可能にする。
【００１３】
本開示は、セルラ・データ・カードのようなＷＡＮネットワーク・インターフェース・カード、又はブロードバンド電力線モデムをアダプタに組み込み、Ｗｉ−Ｆｉ（登録商標）又は電力線搬送ブロードバンド通信を通じて顧客にローカル・ブロードバンド・サービスを提供することによって家庭にブロードバンド通信ゲートウェイを付加することをも対象とする。
【００１４】
電力使用量及び品質、並びに、水道及びガスのようなそのロケーションにおける他の公共設備を独立して監視する補助計量機能を付加することも開示される。これは、自身の電力使用量及び特性を、公益事業者が提供することができるものよりも詳細に、若しくは頻繁に監視することを望む顧客に代わって、又は、事業者及び大規模な顧客に代わってエネルギー管理サービスを提供するエネルギー管理会社によってのいずれかで設置されることができる。アダプタは、Ｗｉ−Ｆｉ（登録商標）、Ｂｌｕｅｔｏｏｔｈ（登録商標）、ＺｉｇＢｅｅ（登録商標）、又は電力線搬送ブロードバンド通信のようなローカルネットワーク接続を介して使用量及び電力情報に対する顧客のアクセスを提供するウェブサーバを含む。アダプタは、商用ワイヤレス（例えば、３Ｇ、ロング・ターム・エボリューションすなわちＬＴＥ（登録商標））、ファイバー、電力線搬送（ＰＬＣ）、ＤＳＬ又は他のワイド・エリア・ネットワーキング技術によってエネルギー管理センターと通信する。
【００１５】
セキュリティ監視会社が家庭内の検出デバイスと通信し、家庭電力使用量を監視し、警告を中央監視局に報告し戻すことを可能にするために、安全なロケーションにある建造物セキュリティ監視局が付加されることができる。
【００１６】
或るロケーションにおける水道使用量を管理し、スプリンクラー及び他の水道の使用を制御するための制御装置が付加されることができる。
【００１７】
電力量計器のためのアダプタであって、アダプタはパネルボックスにインターフェースで接続するための第１のセットの接続部と、電力量計器にインターフェースで接続するための第２のセットの接続部と、ネットワークを介して、データを収集し処理する管理エンティティに情報を通信するための、アダプタ内の回路とを備える。
【００１８】
アダプタは、高度計量インフラストラクチャ（ＡＭＩ）及び配電自動化（ＤＡ）フィールド・エリア・ネットワーク（ＦＡＮ）、ホーム・エリア・ネットワーク（ＨＡＮ）、並びに任意の他の無線周波数帯域から成る群から選択される少なくとも１つの帯域からの無線周波数（ＲＦ）トラフィックを傍受するための無線電子回路を備え、ＲＦトラフィックはネットワークを介して送信される。
【００１９】
アダプタは、高度計量インフラストラクチャ（ＡＭＩ）及び配電自動化（ＤＡ）フィールド・エリア・ネットワーク（ＦＡＮ）、並びに任意の他の無線周波数帯域から成る群から選択される少なくとも１つの帯域に無線周波数（ＲＦ）トラフィックを遠隔から注入するための無線電子回路を備える。
【００２０】
アダプタは、トラフィック分析、侵入検出、及びネットワーク異常検出機能から成る群から選択される少なくとも１つの機能を備える。
【００２１】
侵入検出機能は、傍受されたトラフィックを分析し、高度計量インフラストラクチャ（ＡＭＩ）及び配電自動化（ＤＡ）フィールド・エリア・ネットワーク（ＦＡＮ）、ホーム・エリア・ネットワーク（ＨＡＮ）、又は任意の他の無線周波数帯域における侵入及び異常を検出する。
【００２２】
ネットワークは、フィールド・エリア・ネットワーク、ホーム・エリア・ネットワーク、ワイド・エリア・ネットワーク、配電系統ネットワーク、電話回線網及び無線周波数伝送ネットワークから成る群から選択される少なくとも１つである。
【００２３】
ＲＦトラフィックは、Ｗｉ−Ｆｉ（登録商標）、ＺｉｇＢｅｅ（登録商標）、電力線搬送、ロング・ターム・エボリューション（ＬＴＥ（登録商標））、ボイス・オーバー・インターネット・プロトコル、固定ブロードバンド、及びインターネットプロトコルから成る群から選択される少なくとも１つの通信チャネルプロトコルによってネットワークを介して送信される。
【００２４】
アダプタは、ワイヤレス、ファイバー、及び電力線搬送ブロードバンド通信技術からのインターネット、データ及び音声サービスを提供する通信ゲートウェイである。
【００２５】
アダプタは、電力品質を判定するためのセンサと、データをセンサからネットワークに通信するための電子構成要素とをさらに備える。
【００２６】
アダプタは、アダプタにおける環境状態を判定するための少なくとも１つの環境センサと、環境センサからのデータをネットワークに通信するための電子構成要素とをさらに備える。
【００２７】
アダプタは、保守管理アクセスを提供するために光学的、ワイヤレス又は磁気的接続を使用するポートをさらに備える。
【００２８】
アダプタは、特定のデバイスによる電力使用量に関するデータを送信するための電力量計量システムをさらに備える。デバイスは、電化製品、及び充電を必要とする自動車から成る群から選択されるものである。
【００２９】
アダプタは、公共設備サービス使用量を監視するためのセンサと、公共設備サービス使用量を制御するための制御装置とをさらに備える。
【００３０】
センサは水道メータであり、制御装置は止水栓を含む。
【００３１】
センサはガス流量計であり、制御装置はガス遮断弁を含む。
【００３２】
センサは、動き、圧力、ガラスの破損、光、火、一酸化炭素、天然ガス、発砲、又は玄関の開放を検出するセキュリティセンサである。アダプタは、公共設備使用量計量器及びパネルボックスに伴う電気的問題を検出する温度センサをさらに備える。
【００３３】
アダプタは、制御弁をさらに備え、制御弁はスプリンクラー弁である。
【００３４】
アダプタは、電力量計器に供給される電力を接続且つ切断するための電力線継電器をさらに備える。
【００３５】
アダプタは、配電系統からアダプタに供給されるべき電力を調整するための電力調整回路をさらに備える。
【００３６】
公共設備使用量に関する情報をネットワークに供給するための方法であって、公共設備使用量計量器と、計量器のためのパネルボックスとの間にプローブ計量器アダプタを配置することと、高度計量インフラストラクチャ（ＡＭＩ）及び配電自動化（ＤＡ）フィールド・エリア・ネットワーク（ＦＡＮ）、ホーム・エリア・ネットワーク（ＨＡＮ）、又は任意の他の無線周波数帯域からフィールド・エリア・ネットワーク（ＦＡＮ）トラフィックを傍受することと、トラフィック及び情報を収集及び処理するためにフィールド・エリア・ネットワーク（ＦＡＮ）トラフィック及び情報を公共設備使用量計量器からネットワークへと通信するためにプローブ計量器アダプタ内の電気回路を使用することとを含む。
【００３７】
管理センターからの遠隔コマンドによって、高度計量インフラストラクチャ（ＡＭＩ）及び配電自動化（ＤＡ）フィールド・エリア・ネットワーク（ＦＡＮ）又はホーム・エリア・ネットワーク（ＨＡＮ）内にトラフィックを注入することをさらに含む方法である。
【００３８】
悪意あるパケット、侵入の兆候又はネットワーク異常を検出するために複数のプロトコル層によってトラフィックを分析することを含む方法である。
【００３９】
電力品質を判定するためにセンサを使用することと、電力品質に関するデータをセンサからネットワークに通信することとをさらに含む方法である。
【００４０】
コンピュータ可読持続性記憶媒体であって、コンピュータ可読持続性記憶媒体は、コンピュータシステムによって実行されると、結果として、公共設備使用量データをネットワークに送信するための方法のステップであって、公共設備使用量計量器と、計量器のためのパネルボックスとの間にプローブ計量器アダプタを配置するステップと、高度計量インフラストラクチャ（ＡＭＩ）及び配電自動化（ＤＡ）フィールド・エリア・ネットワーク（ＦＡＮ）、ホーム・エリア・ネットワーク（ＨＡＮ）、又は任意の他の無線周波数帯域からフィールド・エリア・ネットワーク（ＦＡＮ）トラフィックを傍受するステップと、トラフィック及び情報を収集及び処理するためにフィールド・エリア・ネットワーク（ＦＡＮ）トラフィック及び情報を公共設備使用量計量器からネットワークへと通信するためにプローブ計量器アダプタ内の電気回路を使用するステップとを含む、方法のステップを実行することになるコンピュータプログラムの命令を記憶している。
【００４１】
したがって、本開示は、電力量計器のためのアダプタであって、計量器パネルボックスにインターフェースで接続するための第１のセットの接続部と、電力量計器にインターフェースで接続するための第２のセットの接続部と、ネットワークを介して、データを収集し処理するために、傍受された情報又はローカル計量及びセンサデータをＲＦ  ＦＡＮ通信からネットワークに通信するための、アダプタ内の回路とを含む、アダプタを対象とする。
【００４２】
ネットワークは、フィールド・エリア・ネットワーク、ホーム・エリア・ネットワーク、ワイド・エリア・ネットワーク、配電系統ネットワーク、電話回線網及び無線周波数伝送ネットワークから成る群から選択される少なくとも１つである。
【００４３】
アダプタは、Ｗｉ−Ｆｉ（登録商標）、ＺｉｇＢｅｅ（登録商標）、電力線搬送、４Ｇ／ロング・ターム・エボリューション（ＬＴＥ（登録商標））、ボイス・オーバー・インターネット・プロトコル、固定ブロードバンド、ＩＰ及びそれらの組合せから成る群から選択される商用ワイヤレス・チャネル・プロトコルを介してエネルギー管理センターと通信する。
【００４４】
アダプタは、電力品質を判定するためのセンサと、データをセンサからネットワークに通信するための電子構成要素とをさらに備える。環境センサが、アダプタにおける環境状態を判定する。
【００４５】
アダプタは、特定のデバイスによる電力使用量に関するデータを送信するための電力量計量システムを含むことができる。デバイスは、充電を必要とする自動車のような電化製品から成る群から選択されるものであり得る。
【００４６】
アダプタは、特定のデバイスによる電力量使用量に関するデータを送信するため電力量計量システムを含むことができる。デバイスは、電化製品、及び充電を必要とする自動車から成る群から選択されるものであることができる。
【００４７】
アダプタは、ガス、水道及び電気を含む公共設備使用量を監視するためのセンサ及び公共設備使用量を制御するための制御装置と、スプリンクラー弁を含む、各々のための遮断デバイスとを含むことができる。
【００４８】
アダプタは、１つ又は複数の無線周波数帯域においてＦＡＮ又は他のトラフィックを傍受するための無線電子回路を含むことができる。
【００４９】
アダプタは、傍受されたトラフィックを分析してＡＭＩ、ＤＡ又はＨＡＮ  ＦＡＮにおける侵入及び異常を検出するための侵入検出機能を含むことができる。
【００５０】
アダプタは、配電系統からアダプタに供給されるべき電力を調整するための電力調整回路をさらに備えることができる。
【００５１】
本開示は、公共設備使用量に関する情報をネットワークに供給するための方法であって、公共設備使用量計量器と、計量器のためのパネルボックスとの間にプローブ計量器アダプタを配置することと、データを収集及び処理するためにＦＡＮ又は公共設備使用量計量器からネットワークへと情報を通信するためにアダプタ内の電気回路を使用することとを含む、方法をも対象とする。
【００５２】
ネットワークは、フィールド・エリア・ネットワーク、ホーム・エリア・ネットワーク、ワイド・エリア・ネットワーク、配電系統ネットワーク、電話回線網及び無線周波数伝送ネットワークから成る群から少なくとも１つが選択される。
【００５３】
電力量計器システムは、特定のデバイスによる電力使用量に関するデータを取得するために使用され、特定のデバイスによる電力使用量に関するデータはネットワークに送信される。
【００５４】
方法は、電力品質を判定するためにセンサを使用することと、電力品質に関するデータをセンサからネットワークに通信することとをさらに含む。
【００５５】
方法は、アダプタにおける環境状態を判定するために環境センサを使用することと、環境センサからのデータをネットワークに通信することとをさらに含む。
【００５６】
方法は、公共設備使用量を監視するためのセンサ及び公共設備使用量を制御するための制御装置を使用することをさらに含み、センサは水道メータであり、制御装置は止水栓を含む。
【００５７】
方法は、公共設備使用量を監視するためのセンサ及び公共設備使用量を制御するための制御装置を使用することをさらに含み、センサはガス流量計であり、制御装置はガス遮断弁を含む。
【００５８】
方法は、１つ又は複数のＲＦ帯域からＦＡＮ又は他のトラフィックを傍受するために無線電子回路を使用することと、コマンドを受けてパケットを送信することとをさらに含む。
【００５９】
方法は、ＡＭＩ、ＤＡ又はＨＡＮ  ＦＡＮにおける侵入及び異常の検出を実行するための傍受されたトラフィックの分析をさらに含む。
【００６０】
電力量計器に供給される電力を接続し切断するために電力線継電器が使用される。
【００６１】
配電系統からアダプタに供給される電力は調整される。
【００６２】
本開示は、コンピュータ可読持続性記憶媒体であって、コンピュータシステムによって実行されると、結果として、公共設備使用量データをネットワークに送信するための方法のステップであって、公共設備使用量を表すデータを取得するために公共設備使用量センサを使用し、データを収集及び処理するために情報をセンサからネットワークへと通信するためにアダプタ内の電気回路を使用することを含む、方法のステップを実行するコンピュータプログラムの命令を記憶している、コンピュータ可読持続性記憶媒体をも対象とする。
【図面の簡単な説明】
【００６３】
【図１】形態変換又はサージ抑制のために使用される従来の計量器アダプタの斜視図である。
【００６４】
【図２】従来の計量器パネルと電力量計器との間のプローブ計量器アダプタの分解斜視図である。
【００６５】
【図３】は、本開示によるプローブアダプタに接続される電力量計器のブロック図である。
【００６６】
【図４】インターネット及びＶｏＩＰサービスのためのブロードバンドゲートウェイを提供する、本明細書における開示によるプローブ計量器アダプタのブロック図である。
【００６７】
【図５】補助計量及び第三者エネルギー管理サービスを提供する、本明細書における開示によるプローブ計量器アダプタのブロック図である。
【００６８】
【図６】建造物セキュリティ監視を提供する、本明細書における開示によるプローブ計量器アダプタのブロック図である。
【００６９】
【図７】スプリンクラー及び水利管理を提供する、本明細書における開示によるプローブ計量器アダプタのブロック図である。
【００７０】
２つ以上の図面に共通している構成要素又は特徴部は、図面の各々において同じ参照符号を用いて示されている。そのような構成要素又は特徴部が、先行して説明されたものと同じ機能を実行するとき、反復を避けるために、通常、概括的な文言においてのみ再び説明又は参照される。
【発明を実施するための形態】
【００７１】
図１は、多くの場合パネルからメータの形態への変換のために使用されるか、又はその中にサージ抑制のための回路（図１には示されていない）を有する、従来の市販の計量器アダプタ１００の斜視図である。一連の導電接続クリップ１０２の対（ほとんどの計量器アダプタの場合は４つ）が、電力量計器の後部から伸張する導電性ブレードを受容する（図２）。一連の導電性ブレード（図１には示されていない）がアダプタ１００の後部から伸張し、家庭又は商用建造物のパネルボックス（図２）上のソケット内に受容される。このタイプのアダプタは、顧客に自身の計量器パネルを交換するように強制することなく、公益事業者が計量器プラグ構成を変更することを可能にする。
【００７２】
図２を参照すると、電力量計器２０２のプローブアダプタ２００は、電力量計器２０２の後部から伸張する一連の導電性ブレード２０６を受け入れるための一連の開口２０４を有してもよい。アダプタプローブ２００の後部から伸張する一連の導電性ブレード２０８が、パネルボックス２１２内の一連の開口２１０内に受け入れられる。物理的に、且つ外観図から、プローブアダプタ２００は従来技術の計量器形態変換アダプタに類似している。機能的には、プローブアダプタ２００は新規の機能を導入しており、従来技術には存在しない実施態様を使用する。
【００７３】
図３において、計量器プローブアダプタ２００の好ましい実施形態は、結合プローブと、電力調整及びセーフティ電子回路と、任意選択のセンサと、任意選択の電力リレーとを含む。
【００７４】
計量器プローブアダプタ２００の結合プローブ部分は、いくつかの従属部品を含む。マイクロプロセッサ３００によってプローブインテリジェンスが提供され、これは、一般的には、パケットを分析し、計量器プローブアダプタ２００の電気回路によって必要とされる様々なセンサ及びデバイスに接続するための十分な処理能力及び周辺インターフェース接続を有する、市販のＡＲＭプロセッサ（Ａｄｖａｎｃｅｄ  ＲＩＳＣ  Ｍａｃｈｉｎｅｓ社から入手できる）のようなＲＩＳＣベースのデバイスである。第１のＲＦフロントエンド３０２が、計量器プローブアダプタ２００がＦＡＮにおける無線トラフィックにアクセスすることを可能にするために組み込まれ、マイクロプロセッサ３００内のファームウェアロジックと組み合わさって、ＦＡＮトラフィックを受動的に監視し分析して、遠隔コマンドを受けてトラフィックを注入する。ＡＭＩ  ＦＡＮの現行の実施態様は一般的に、９００ＭＨｚの産業科学医療用（ＩＳＭ）周波数帯域を使用する。第２のＲＦフロントエンド３０４が計量器プローブアダプタ２００がホーム・エリア・ネットワーク（ＨＡＮ）における無線トラフィックにアクセスすることを可能にするために組み込まれ、マイクロプロセッサ３００内のファームウェアロジックと組み合わさって、ＨＡＮトラフィックを受動的に監視し分析して、遠隔コマンドを受けてトラフィックを注入する。ＨＡＮの現行の実施態様は、ＺｉｇＢｅｅ（登録商標）プロトコルを用いて２．４ＧＨｚ帯域を使用する。
【００７５】
スマートメータは、一般的に、公共設備がＨＡＮデバイスと通信するための従来のルータ又はゲートウェイとしての役割を果たす。計量器プローブアダプタ２００は、それを介してバックエンドプローブ管理アプリケーション、事象報告システム、パケット分析アプリケーション、ＩＤＳと通信し、蓄積転送モードにおいて、又はコマンドに応じてＦＡＮ又はＨＡＮパケットキャプチャを連続的に流すか又はアップロードすることができるワイド・エリア・ネットワーク（ＷＡＮ）ネットワーク・インターフェース・カード３０６をも含む。そのようなシステムの一例は、本出願と同一日に出願され、参照によりその全体が組み込まれる同時係属の米国特許出願第１３／７６１，１３３号明細書に記載されている（代理人整理番号０００８３３５ＵＳＵ）。ＷＡＮ  ＮＩＣ３０６は、商用のワイヤレス（例えば、３Ｇ／ＧＳＭ（登録商標）／ＬＴＥ（登録商標））、公共設備が配電網内にＰＬＣノードを有する場合の電力線搬送（ＰＬＣ）、接続が顧客のブロードバンド接続によって提供されてもよい場合のＷｉ−Ｆｉ（登録商標）、接続がＺｉｇＢｅｅ（登録商標）を介してゲートウェイにホップする場合のＺｉｇＢｅｅ（登録商標）、又はＤＳＬ及びファイバーのような固定ブロードバンドアクセスをサポートすることができる。加えて、計量器プローブアダプタ２００がウォークアップ又はドライブバイ収集システムのためにキャプチャし記憶している情報を転送するためにＢｌｕｅｔｏｏｔｈ（登録商標）及びＷｉ−Ｆｉ（登録商標）が使用され得る。物理的光接続（安全のため）又はＢｌｕｅｔｏｏｔｈ（登録商標）若しくは磁気ドングルによる短距離ワイヤレス接続のいずれかを使用して、計量器プローブアダプタ２００に対する保守管理アクセスを可能にするためにアクセスポート３０８が設けられる。センサ３１２から受信されるような、様々な電力、環境、及びセキュリティデータの収集を可能にし、且つ、計量器プローブアダプタ２００内の制御装置を操作するために、センサ入力及び入／出力制御装置３１０が計量器プローブアダプタ２００内に含まれる。
【００７６】
プローブ計量器アダプタ電子回路に対する電力は、パネル線接続から直接調達されることが有利であり、それによって、プローブ計量器アダプタ２００への電力が解除又は無効化されることからスマートメータが障害を受ける可能性がなくなる。電力調整及びセーフティ電子回路３１４は、パネル線ソース電圧をプローブ電子回路、他のセンサ３１２及びラインリレー３１４に適合する電圧に変換し、これは、ＷＡＮ  ＮＩＣ３０６から受信されマイクロプロセッサ３００によって処理された遠隔コマンドを受信すると電力を遮断することができる。計量器プローブアダプタ電子回路内で起こり得る機能不全に対処するために、且つ、計量器プローブアダプタを損なう恐れのある過電流に対処するために、ヒューズ及び照明サージ保護（図示せず）が組み込まれる。これらの保護機構は、当業者にすでに知られており、一般的に使用されている。
【００７７】
電力、環境及びセキュリティデータを監視するために計量器プローブアダプタ２００の他のセンサ３１２内に任意のセンサが含まれることができる。電圧、電流、及び位相のような電力品質を監視するために、それぞれ、パネル線及びパネル負荷接続の両方にラインセンサ３１６Ａ及び３１６Ｂが使用される。周知であるように、電力線からの電力は計量器２０２を介して負荷に供給される。センサ情報は、スマートメータによって提供される読み値を検証し、又は、サイバー攻撃のような、システムを害し、又は単純に電力窃盗若しくは電力使用量の隠蔽を可能にしようとして誤ったデータを報告するためにスマートメータのファームウェアに障害を与えている可能性がある攻撃を検出するために使用され得る。環境センサは、温度、湿度、及び自然光のような、一般的な気象状態を測定する。この情報は、予期せずリブートしているＦＡＮデバイス及びスマート・グリッド・デバイスのチャネル搬送波における周波数ドリフトのような、プローブトラフィック内で検出される機器障害に関連付けるのに有用である場合がある。ほとんどの公益事業者によって従来使用されている従来の故障してから対処する手法の代わりに、デバイス耐用年数に対する環境状態の影響を推定するデバイス故障予知、並びに故障予知及び状態ベースの保守管理に対しても有用である。具体的には、計量器プローブアダプタ内の温度センサが、計量器及びパネルを通る電流が過剰な熱を生成しており計量器火災をもたらし得る「ホットソケット」として知られる状態を検出することができる。パネル２１２からの計量器プローブアダプタ２００の取り外し又は計量器プローブアダプタ２００からのスマートメータ２０２の取り外しのような、物理的改ざんの証拠を検出するためのセンサも設けられることができる。計量器電子回路に対する物理接続がないため、安全性を向上させるためにはワイヤレスセンサが好ましい。
【００７８】
本出願と同一日に出願された、フィールド・エリア・ネットワークにおけるパケット取得、分析及び侵入検出（Ｍｅｔｈｏｄ  ａｎｄ  Ｓｙｓｔｅｍ  ｆｏｒ  Ｐａｃｋｅｔ  Ａｃｑｕｉｓｉｔｉｏｎ，Ａｎａｌｙｓｉｓ  ａｎｄ  Ｉｎｔｒｕｓｉｏｎ  Ｄｅｔｅｃｔｉｏｎ  ｉｎ  Ｆｉｅｌｄ  Ａｒｅａ  Ｎｅｔｗｏｒｋｓ）と題する米国同時係属出願第１３／７６１，１３３号明細書、代理人整理番号０００８３３５ＵＳＵに記載されるような、プローブがコマンドに応じてバック−エンド管理システムからのサイトへの電力を無効化することを可能にするために任意選択の電力線継電器３１４が設けられる。
【００７９】
図４は、計量器アダプタ４００が、インターネット及びＶｏＩＰサービスを顧客に提供するためのブロードバンドゲートウェイをどのように収容することができるかを示す。通信サービスプロバイダ４０１が、ローカル配電アクセス４０２を介してセルラデータ（例えば、３Ｇ、ＬＴＥ（登録商標））又はＰＬＣのようなワイド・エリア・ネットワークを通じて計量器アダプタゲートウェイに接続する。計量器アダプタ４００内で、ルータ／ローカルサーバ機能４０３が、４０５において表されるような、Ｗｉ−Ｆｉ（登録商標）、ＰＬＣ及びＺｉｇＢｅｅ（登録商標）のような通信経路によって、ＷＡＮブロードバンド・アクセス・ネットワーク・インターフェース・カードＷＡＮ  ＮＩＣ４０４を１つ又は複数のローカルネットワークに接続する。好ましい実施態様において、ローカル・エリア・ネットワークはＷｉ−Ｆｉ（登録商標）であり、したがって、顧客が顧客のコンピュータ設備４０８に接続する容易な方法を促進する。計量器アダプタ４００内のルータ／ローカルサーバ機能４０３は、顧客がステータスをチェックし、サービスプロバイダ４０１によって許可されるように設定を変更することを可能にする。ラインセンサ３１６Ａ及び３１６Ｂは、図３に関連して上述されているような機能を果たす。様々な外部センサ４１０が、Ｗｉ−Ｆｉ（登録商標）、ＰＬＣ、又はＺｉｇＢｅｅ（登録商標）を介してデータを提供することができる。物理的光接続（安全のため）又はＢｌｕｅｔｏｏｔｈ（登録商標）若しくは磁気ドングルによる短距離ワイヤレス接続のいずれかを使用して、アダプタに対する保守管理アクセスを可能にするために外部アクセスポート４１２も設けられる。
【００８０】
図５は、計量器アダプタ５００が、顧客に、１）自分自身のエネルギー使用量を電力公益事業者よりも精細なレベルで監視すること、２）ガス及び水道のような他の公共設備を水道及びガスメータ５０１を介して監視すること、第三者エネルギー管理会社に、３）公共設備使用量を監視し、且つ住宅所有者に変わって公共設備使用量を遠隔から管理するためにローカル・エリア・ネットワークを通じて家庭内の継電器及びスイッチを制御すること、を許可することを可能にするための、補助計量及び第三者エネルギー管理サービスをどのように収容することができるかを示す。エネルギー管理提供者のエネルギー監視センター５０２が、ローカル配電アクセス４０２を介してセルラデータ（例えば、３Ｇ、ＬＴＥ（登録商標））又はＰＬＣのようなワイド・エリア・ネットワークを通じて計量器アダプタゲートウェイに接続する。計量器アダプタ５００の内部で、ルータはＷＡＮブロードバンドアクセスを、Ｗｉ−Ｆｉ（登録商標）、ＰＬＣ及びＺｉｇＢｅｅ（登録商標）のような１つ又は複数のローカルネットワーク方法に接続し、様々なアプリケーションに接続されているワイヤレス及びＰＬＣ接続外部センサ及びコントローラ５０６が管理され得る。計量器アダプタ５００内のルータ／ローカルサーバ機能４０３は、顧客が、コンピュータ設備４０８を使用することによって、計量機能５１０によってエネルギー使用量及び電力品質をチェックし、エネルギー管理提供者によって許可されている設定を変更することを可能にする。ラインリレー３１４が、顧客又はエネルギー管理提供者が顧客電力を切断することも可能にする。
【００８１】
この応用形態の変形形態は、電気自動車５０８用のような、多大な電力使用量を監視するために計量器アダプタ５００を通じて補助計量器を設置することを含む。多大な電力を要求する電化製品は、活発に電力を消費していることを、ローカル・エリア・ネットワークを介して計量器アダプタ５００に通知することができる。補助計量機能は、デバイスによる使用量を追跡することを可能にし、これは、現在スマートメータを実装することによっても可能ではない機能である。使用時間によって課金する代わりに、補助計量器は電化製品及び使用時間によって課金することを可能にし、これは、包括的な使用時間指針によって特定のエネルギー消費デバイスに依存している場合がある特定の人口層に不利益をもたらすことを回避するのに有益である。例えば、高齢者はピーク料金設定間隔において空調を必要とする場合があるが、この使用は命に関わるものであり得るため、不当にピーク料金を課金されるべきではない。しかしながら、彼らが自身のプールヒータをピーク間隔においてオンにする場合、彼らはピーク料金を課金されるべきである。
【００８２】
図６は、計量器アダプタ６００が、良好に保護されたロケーションにおいてセキュリティ監視局をどのように収容することができるかを示す。セキュリティ監視提供者のセキュリティ監視センター６０２が、ローカル配電アクセス４０２を介してセルラデータ（例えば、３Ｇ、ＬＴＥ（登録商標））又はＰＬＣのようなワイド・エリア・ネットワークを通じて計量器アダプタゲートウェイに接続する。計量器アダプタ６００の内部で、ルータはＷＡＮブロードバンドアクセスを、Ｗｉ−Ｆｉ（登録商標）、ＰＬＣ及びＺｉｇＢｅｅ（登録商標）のような１つ又は複数のローカルネットワーク接続４０５を介して接続し、様々な外部セキュリティセンサ６０８及び電化製品に接続されているワイヤレス及びＰＬＣセンサ４１０及びコントローラ６０６が管理され得る。計量器アダプタ６００内のルータ／ローカルサーバ機能４０３は、顧客が、顧客のコンピュータ設備４０８を介してセキュリティステータスをチェックし、セキュリティ監視提供者によって許可されている設定を変更することを可能にする。外部セキュリティセンサ６１０及びそれらのコントローラ６０６は、扉及び窓センサと、火災及び煙検出部と、一酸化炭素（ＣＯ）検出部と、漏水検出部と、浸水検出部と、温度、湿度及び運動又は圧力感応デバイスと、住宅所有者が締め出されてしまった場合に扉を遠隔から開くことが可能であるような、ホームオートメーションのための様々なアクチュエータとを含む。センサデータをインターフェースで接続してμｐ３００で利用可能にするためのセンサＩ／Ｏ機能及びそれらの処理が、モジュール６１２によって実行される。
【００８３】
図７は、計量器アダプタ７００が、遠隔スプリンクラー／水利管理のための電子回路をどのように収容することができるかを示す。スプリンクラー／水利提供者の水利制御センター７０２が、セルラデータ（例えば、３Ｇ、ＬＴＥ（登録商標））又はＰＬＣのようなワイド・エリア・ネットワークを通じて計量器アダプタゲートウェイに接続する。計量器アダプタ７００の内部で、ルータはＷＡＮブロードバンドアクセスを、Ｗｉ−Ｆｉ（登録商標）、ＰＬＣ及びＺｉｇＢｅｅ（登録商標）のような１つ又は複数のローカルネットワーク通信経路に接続し、ワイヤレス及びＰＬＣインターフェースが建造物上のスプリンクラーコントローラ７０４に接続する。計量器アダプタ７００内のルータ／ローカルサーバ機能４０３は、顧客が水利ステータスをチェックし、スプリンクラー／水利提供者によって許可されている設定を変更することを可能にする。水利制御センター７０２又は顧客のコンピュータ設備４０８からの遠隔命令を用いて、止水栓が計量器アダプタ７００によって制御されてもよい。スプリンクラー／水利提供者は、特に渇水時の間に水の保全を強化することを望む営利会社、又はさらには自治体単位であることができる。
【００８４】
概して、計量器プローブアダプタ７００は、ＡＭＩ、ＤＡ、ＨＡＮ並びに他のスマートグリッドＦＡＮ及びローカル・センサ・データからの収集通信を傍受するために実地にプローブを配備するための、新規で、単純で、簡便で、容易に設置可能であり、容易に保守管理可能であり、多目的で低コストな方法を提供する。プローブは、所望される場合、異なる（公共設備でない）ネットワーク内の信号の監視のような、公共設備使用量以外のネットワークに拡張されることができる。
【００８５】
概して、計量器プローブアダプタは任意の計量器パネルがＦＡＮプローブのための好都合なロケーションになることを可能にする。計量器プローブアダプタは、ＡＭＩネットワーク及びＨＡＮだけでなく、他の公共設備ＦＡＮのための家庭用プローブ設備もサポートすることができ、計量器ロケーションは、プローブを位置付けるために好都合で有利なロケーションである。計量器プローブアダプタは、ＦＡＮプローブのために新たな適切なロケーションを探す必要をなくす。既存の計量器ロケーションが再使用されることができ、その中に容易にアクセス可能であるものが多くあり、ＦＡＮに関して良好なＲＦ信号受信特性を有するものがいくらかある。加えて、計量器プローブアダプタは、プローブのための電力に対する簡便なアクセスを提供し、外部電力ケーブルをなくす。すべてのハードウェア及び電子回路は、アダプタがネットワーク監督機能を含むといういかなる外的証拠もなしにアダプタハウジング内に安全にパッケージされる。ハウジングは、プラスチック又はポリカーボネートのような、環境影響に耐え、クラッキングに強く、物理的攻撃に強く、ＲＦ信号が重大な信号損失なしにハウジングを貫通することを可能にする材料から成る。信号受信を向上させるために任意選択の外部アンテナが接続されることができる。計量器は、手作業による計量器読み取りを可能にするために地表面に、又はその付近に配置されることが最も多いため、計量器プローブアダプタは、特別な設備又はトラックを必要とすることなくプローブに対する保守管理アクセスを可能にする。加えて、計量器プローブアダプタは、スマートメータを変更することなく、又は、それらが相対的に数少ないために高価であり得る、特別に備え付けられるスマートメータを入手する必要なく、ＦＡＮ／ＨＡＮプローブが計量器ロケーションに配備されることを可能にする。
【００８６】
計量器プローブアダプタには他の利点がある。プローブは基本的にスマートメータと正確に同じ地理的ロケーションに配置されるため、プローブ計量器アダプタは公益事業者の技術及び操作人員がスマートメータとプローブとの間でＦＡＮ性能を比較することを可能にするという利点を提供する。最初に設置されるとき、スマートメータと比較したプローブのＲＦ及びネットワーク性能の基準記録が作成されることができる。経時的に観察される変化がスマートメータ又はプローブのワイヤレスネットワーク性能の劣化を示し得る。加えて、プローブは、電力のようないかなる供給源もスマートメータに依拠しないため、プローブは、スマートメータからの間隔を維持し、スマートメータ診断及び事象報告機能によって報告されない場合があるサプライチェーン品質への脅威及び秘密裏のサイバー攻撃を軽減するためにＦＡＮを監視するための独立したデバイスとして使用されることができる。計量器プローブアダプタはそれ自体の改ざんセンサを有することができるが、プローブがスマートメータと有利に同一場所に配置されることが、計量器セキュリティ事象がプローブの改ざんの存在を示すことを可能にする。攻撃者がプローブに物理的にアクセスすることができるようになるには、計量器、又は計量器プローブアダプタと計量器とのアセンブリは取り外される必要があり、これは、ほとんどのスマートメータに、電力喪失の報告を直接送信させる。
【００８７】
電力に対するアクセス、物理的保護、及び容易な保守管理アクセスに関する同様の利点は、本明細書に記載されている他の応用形態にも当てはまる。
【００８８】
開示されている実施形態は、公益事業者によって入手され、計量器提供者、又は公共設備／エネルギー部門に関する製品を形成する第三者によって製造されることができる物理アダプタとして実装されることができる。
【００８９】
本開示は、コンピュータシステムによって実行されると、結果として、本明細書に記載されている方法のステップを実行することになるコンピュータプログラムの命令を記憶している、コンピュータ可読持続性記憶媒体内に具現化されてもよいことは理解されよう。そのような記憶媒体は、上記の記載において言及されているもののいずれかを含んでもよい。
【００９０】
本明細書に記載されている技法は例示であり、本開示に対するいかなる特定の限定としても解釈されるべきではない。様々な代替形態、組合せ及び変更形態が当業者によって考案され得ることが理解されるべきである。例えば、本明細書に記載されているプロセスに関連付けられるステップは、別途指定されているか、又はステップ自体によって指示されていない限り、任意の順序において実行されることができる。本開示は、添付の特許請求項の範囲内に含まれる、すべてのこのような代替形態、変更形態及び変形形態を包含するように意図される。
【００９１】
「備える（ｃｏｍｐｒｉｓｅｓ）」又は「備えている（ｃｏｍｐｒｉｓｉｎｇ）」という用語は、述べられている特徴、整数値、ステップ又は構成要素が存在していることを指定しているものとして解釈されるべきであるが、１つ又は複数の他の特徴、整数値、ステップ若しくは構成要素又はそれらのグループが存在することを排除するものではない。
【図１】
0006359463.tif 000002
【図２】
0006359463.tif 000003
【図３】
0006359463.tif 000004
【図４】
0006359463.tif 000005
【図５】
0006359463.tif 000006
【図６】
0006359463.tif 000007
【図７】
0006359463.tif 000008